(57)【特許請求の範囲】
【請求項１】
少なくとも二区画に画成され、一方の区画に光通信ケーブルの成端箱が収納されると共に、他方の区画に光通信ケーブルの成端箱内に光通信ケーブルと共に布設された電力回線から供給される電力を分配する分電盤及び複数のポートを有し各ポートに接続された前記成端された光通信ケーブルからの光ファイバーを束ねる装置としてのハブが収納された光通信ケーブル成端箱の収納ボックスであって、前記収納ボックスが机の外側部に取り付けられていることを特徴とする光通信ケーブル成端箱の収納ボックス。
【請求項２】
アース手段に電気的に接続された光通信ケーブルの圧着端子を挿通管とその端部に連結された座金部とから構成し、光通信ケーブルの牽引用テンションメンバー又はメッセンジャーワイヤーの端部を該挿通管内に挿入し、前記挿通管をかしめることにより、前記圧着端子と前記端部とを電気的に導通接合し、これらの接合部分を絶縁性の素材により被覆したことを特徴とする請求項１記載の光通信ケーブル成端箱の収納ボックス。
【請求項３】
光通信ケーブル成端箱の収納ボックス内に光通信ケーブルと共に電力回線を布設し、電気機器を設け、前記電力回線により、電気機器に電力を供給するものであって、アース手段と接続されるアース側端子と、該アース側端子と電気的に導通する誘導側端子とを有するサージ電流誘導回路を設け、前記サージ電流誘導回路は、通常電圧の電流が流れている間は絶縁を保ち、一旦高電圧がかかると絶縁が破壊され低抵抗となり、前記サージ電流誘導回路の誘導側端子は、電力回線と電気機器とを接続する電気配線の途中の箇所と接続され、光通信ケーブルの牽引用テンションメンバー又はメッセンジャーワイヤーの端部に接合された圧着端子が、サージ電流誘導回路のアース側端子と接続されることを特徴とする請求項１乃至請求項２のいずれかに記載の光通信ケーブル成端箱の収納ボックス。
【請求項４】
光通信ケーブルの牽引用テンションメンバーの端部を固定する手段と、個々の幹線ケーブルの一部またはコネクタケーブルとの融着点を保持するストッパーと、個々の幹線ケーブルを自在に巻回できる複数の支柱の誘導ガイドを立設したことを特徴とする請求項１乃至請求項３のいずれかに記載の光通信ケーブル成端箱の収納ボックス。
【発明の詳細な説明】
【０００１】
【発明の属する技術分野】
本発明は、光通信ケーブルの端部を建物内部にある各種機器に配線するために使用される成端箱を収納したボックスに関し、光通信ケーブルが接続されたハブにより、パソコン同士をネットワーク化した室内配線において、光通信ケーブルの端部に設けた成端箱と、ハブの外箱であるハブボックスとを一体的にした収納ボックスに関する。
【０００２】
【従来の技術】
近年、光通信ケーブルによる通信は、高速且つ大量のデータ送信力により、イントラネットやインターネット、ケーブルテレビや携帯電話網といった多くの通信網の中核となりつつある。とくに、コンピューターネットワークの爆発的な成長と携帯電話等の無線通信手段の急速な普及に伴い、その需要は年々高まり光通信ケーブルはいたるところで布設されるようになってきている。
【０００３】
例えば、クリーンルームやサーバールーム等においては、クライアントコンピュータとサーバーコンピュータ、若しくは精密機器とを、ハブを介して相互接続してネットワーク化することが普及している。この場合も伝送路としてノイズの少ない光通信ケーブルを使用し、クライアントとサーバー間を光通信ケーブルで接続する配線システムが増えつつある。この光通信ケーブルの端部には後述する成端箱が設けられ、この成端箱及び分電盤は、通常、室内の壁面上部に各々独立して設置されている。また、光通信ケーブルが接続されたハブは、コンピュータの配置や室内環境等を考慮して、条件によりできるだけ成端箱の近傍に配置されている。
【０００４】
【発明が解決しようとする課題】
ところで、光通信ケーブルは、実質的にはガラス繊維の束であり、電導体ではないことから、従来は落雷等の被害とはほとんど無縁であると考えられていた。しかしながら、無線通信手段の普及に伴いその中継局のアンテナがいたるところに建設されるようになると、この局舎において落雷の被害報告が頻繁に寄せられるようになってきた。当然、アンテナそのものは避雷対策がなされているはずなのに、このような落雷の被害が出ている原因は、落雷がアンテナそのものへの直雷被害だけではないためである。
【０００５】
すなわち、局舎近傍への落雷によって生じる誘導雷が、この光通信ケーブルの牽引用に使用されるテンションメンバー（鉄芯）やメセンジャーワイヤーあるいは同軸ケーブル内に施されたシールドアースに誘導されてフラッシュオーバー（発火）を起こし、延いてはこれが光通信ケーブルの端部が接続された局舎の配線箱（以下、成端箱という）を破壊するなどの被害があることが判明した。このような被害は、上述のようなアンテナ中継局のみならず、光通信ケーブルが布設される全ての場所において発生するおそれがある。
【０００６】
光通信ケーブルのテンションメンバーは、ケーブルを牽引する際、あるいは端部固定の際に、ケーブルそのものでは強度を保てないために、ケーブルの中心に入れられた金属製のワイヤーであり、電導体である。従来は、光通信ケーブルを牽引して布設した後は、その端部を切開し、テンションメンバーを剥き出してネジ止めすると共に、個々の幹線ケーブルは別に設けた保持手段により保持してコネクタ等に接続していた。この幹線ケーブルは、コネクタ付光通信ケーブルとそれぞれ融着させて、融着点をストッパーなどと称されるものにより保持していたが、各ケーブルの本数が増えると、このようなストッパーからコネクタに至るまでの間を鋭角に配線しなくてはならない状態が生じる。その結果、地震等の外力によりケーブルが切断するといった被害も発生していた。
【０００７】
また、クリーンルームやサーバールームにおいて、成端箱及び分電盤を壁面上部に配設する従来の方式では、光通信ケーブルの延長分岐やメンテナンスなどの工事を行う場合、作業者はその都度脚立などを用いて高所作業をしなければならないので、光通信ケーブルの延長分岐やメンテナンスなどの作業が行い難い。とくに、光通信ケーブルは曲げに弱いことから、その配線工事においては、光通信ケーブルが鋭角に曲がらないように敷設する必要がある。このような制約条件のもと、光通信ケーブルの配線作業が更に困難になっており、総じて従来の設置方式は作業効率が良くないという問題があった。また、従来の構成では成端箱、ハブ（ハブボックス）及び分電盤が、それぞれ個々に設置されているため、広い取付スペースを必要とするという問題があった。
【０００８】
本発明は、上記課題に鑑みなされたものであり、その目的は、光通信ケーブルの端部を確実に保持することができると共に、誘導雷等に起因するサージ電流による被害を防止し、しかも個々の光通信ケーブルの適切な配線が可能で、且つケーブルの断裂を防止することができるばかりでなく、光通信ケーブル等の配線やメンテナンスを容易に行うことができ、省スペース化を図ることができる光通信ケーブルの成端箱を提供することにある。
【０００９】
【課題を解決するための手段】
上記目的を達成するため、請求項１の発明では、少なくとも二区画に画成され、一方の区画に光通信ケーブルの成端箱が収納されると共に、他方の区画に光通信ケーブルの成端箱内に光通信ケーブルと共に布設された電力回線から供給される電力を分配する分電盤及び複数のポートを有し各ポートに接続された前記成端された光通信ケーブルからの光ファイバーを束ねる装置としてのハブが収納された光通信ケーブル成端箱の収納ボックスであって、前記収納ボックスが机の外側部に取り付けられていることを特徴とする。
【００１０】
請求項２の発明では、請求項１記載の光通信ケーブル成端箱の収納ボックスにおいて、アース手段に電気的に接続された光通信ケーブルの圧着端子を挿通管とその端部に連結された座金部とから構成し、光通信ケーブルの牽引用テンションメンバー又はメッセンジャーワイヤーの端部を該挿通管内に挿入し、前記挿通管をかしめることにより、前記圧着端子と前記端部とを電気的に導通接合し、これらの接合部分を絶縁性の素材により被覆したことを特徴とする。
【００１１】
請求項３の発明では、請求項１又は請求項２記載の光通信ケーブル成端箱の収納ボックス内に光通信ケーブルと共に電力回線を布設し、電気機器を設け、前記電力回線により、電気機器に電力を供給するものであって、アース手段と接続されるアース側端子と、該アース側端子と電気的に導通する誘導側端子とを有するサージ電流誘導回路を設け、前記サージ電流誘導回路は、通常電圧の電流が流れている間は絶縁を保ち、一旦高電圧がかかると絶縁が破壊され低抵抗となり、前記サージ電流誘導回路の誘導側端子は、電力回線と電気機器とを接続する電気配線の途中の箇所と接続され、光通信ケーブルの牽引用テンションメンバー又はメッセンジャーワイヤーの端部に接合された圧着端子が、サージ電流誘導回路のアース側端子と接続されることを特徴とする。
【００１３】
請求項４の発明では、請求項１乃至請求項３のいずれかに記載の光通信ケーブル成端箱の収納ボックスにおいて、光通信ケーブルの牽引用テンションメンバーの端部を固定する手段と、個々の幹線ケーブルの一部またはコネクタケーブルとの融着点を保持するストッパーと、個々の幹線ケーブルを自在に巻回できる複数の支柱の誘導ガイドを立設したことを特徴とする。
【００１４】
光通信ケーブルは、主に半導体や薬品等を製造するクリーンルーム、手術室、サーバールーム、ビル管理室などに布設されるが、高層マンション、学校、官庁等にも勿論適用できる。室内には、コンピュータまたはその周辺機器が配され、これらはハブを介してケーブルにより接続されている。また、室内には机（テーブルを含む）が設けられ、机の側部、後部又は下部に収納ボックスを取り付ける。収納ボックスは少なくとも二区分に画成され、その一方を成端箱用とし、他方をハブ等の精密機材（以下、ハブボックスという）を収納する。また、成端箱の内部には、商用電源のコンセントを設けると良い。
【００１５】
上記構成では、成端箱及びハブボックスは、壁面や机の側部、後部又は下部に配設されるので、作業者は床の上で収納ケースを開けて、そのまま光通信ケーブルやハブの配線作業や保守点検作業を容易に行うことができる。また、成端箱及びハブボックスは、収納ケース内にまとめて一体化されるため、ボックスの小型・コンパクト化が可能になる。成端箱に商用電源のケーブルを設けたものでは、別途、コンセントが不要になるため、その分だけ省スペース化を図ることができる。
【００１６】
また、成端箱内に光通信ケーブルのテンションメンバー、メッセンジャーワイヤー又はシールドアースを固定するにあたり、その先端部分が露出しないようにすると共に、これをサージ電流誘導回路に固定し、さらに、アースに直結した。すなわち、従来のテンションメンバー固定手段では、そのほとんどが先端を剥き出しにした状態で単にネジ止めされていただけに過ぎず、しかもアースもされていなかった。そのため誘導雷などのサージ電流は行き場を失って発火し、周辺を破損させたていたものと考えられる。そこで、本発明では、テンションメンバー又はメセンジャーワイヤーの先端を露出させることなく、圧着端子などによって固定し、これをアースに直結すると共に、圧着端子との接合部分は絶縁体で被覆してしまうことにより、サージ電流をアースに逃がすと共に、絶縁体の被覆により発火を防止するようにした。
【００１７】
さらに、光通信ケーブルと共に電力回線を布設し、ハブ（ＨＵＢ）などの周辺機器を接続するための電源回路を設け、この電力回線により電源回路に電力を供給すると共に、これと並列に電源回路をサージ電流誘導回路の誘導側端子に接続する。因みに、ここで示したサージ電流誘導回路とは、高電圧のサージ電流に対して高速に反応してアース側にサージ電流を流すものである。これにより、サージ電流が生じた場合は、電源回路に接続した周辺機器へ流れることはなく、アース側に逃げることになる。
【００１８】
【発明の実施の形態】
次に、本発明の実施の形態を図面に示す実施例に基いて説明する。本実施例は、収納ケースを左右二室に区画して、成端箱及びハブボックスを分けて収納し、この収納ケースをサーバールーム内のワークデスクの外側部に取り付けたものである。
図１は本発明に係る成端箱及びハブボックスの収納ケースを説明する全体構成図、図２は図１の収納ケースを説明する要部構造図、図３は本発明に係るサーバールームの一実施例を示す平面図、図４は成端箱及びハブボックス内の配線図、図５は回避素子の基本形態を示す模式図、図６は回避素子の他の実施例を示す（ａ）は斜視図、（ｂ）は側面図、図７は回避回路の回路図、図８は成端箱の他の実施例を示す模式図、図９はサージ電流誘導回路とこれに対する配線例を示す回路図、図１０は光通信ケーブルの先端部を示す拡大側面断面図、図１１は収納ボックスの他の実施例を示す斜視図、図１２は本発明の成端箱をビル内に複数個設置した状態を説明する模式図、図１３は本発明の成端箱を複数のビルに設置した状態を説明する模式図である。
【００１９】
【実施例】
図１乃至図３に示すように、１は、ワークステーション１８を備えた半導体製造工場内のサーバールームで、サーバールーム１の天井部には空調機（図示せず）が設けられている。サーバールーム１の任意位置にはワークデスク２が複数台設置され、ワークデスク２の脚部は床面に固定されると共に、防振用のストッパー付ゴムマット３が取付けられている。
【００２０】
ワークデスク２の上には耐震のためのストッパー（図示せず）を付けたクライアントパソコン４が配置され、クライアントパソコン４はハブ（変換ハブ）５を介して、光ファイバー６によりサーバーパソコン７に接続されている。サーバーパソコン７は、サーバールーム１の隅部またはワークデスク２の一側下方に配置されている。サーバーパソコン７の下部はストッパー８により固定され、地震等によりサーバー７が移動しないようにされている。尚、サーバー７の上部には冷却ファンが設けられ、これには排塵ダクトが接続可能とされている。
【００２１】
右角部のワークデスク２の外側部の一方側には、収納ボックス９が取り付けられている。図２に示すように、収納ボックス９の内部は左右二室に区画され、各室には開閉扉１３、１４が取り付けられている。収納ボックス９の左室には、光通信ケーブル１０の終端部を連結する成端箱１１が収納され、成端箱１１は浸水防止のために気密構造とされている。光通信ケーブル１０は、複数本の光ファイバー６を集束したもので、複数の光ファイバー６は成端箱１１にて接続延長して出線分配されている。一方、収納ボックス９の右室にはハブボックス１２が収納され、ハブボックス１２内にはハブ５が設けられている。ハブ５は複数のポートを有し、各ポートに接続された光ファイバー６を束ねる集線装置として機能している。
【００２２】
図４中、１６は成端箱１１内の光通信ケーブル１０の配線盤を示す。光通信ケーブル１０のテンションメンバー１５は、配線盤１６にネジにより固定され、各光ファイバー６は分岐してハブ５のポートに接続されている。この配線盤１６には商用電源ケーブル１７が引き込まれ、商用電源ケーブル１７のコンセント１９には、ハブ５の導線２０が接続されている。尚、図中、２１、２２は避雷器である。
【００２３】
テンションメンバー１５は、単に従来のアース線に接続することも可能であるが、より確実なサージ電流対策として後述する回避回路２１を介してアース線２３に接続されている。一方、商用電源１７とコンセント１９との間にも回避回路２２が設けられ、これもアース線２４に接続されている。この回避回路２１は、後述する回路素子３０を使用したもの、または回避器５０及び半導体素子５５と同様の構造のものを適用することができる。また、回避回路２１を使用しない場合、回避回路２２を、図８のサージ電流誘導回路６０に変えて、サージ電流をテンションメンバー１５とアース線２４に流すこともできる。また、大地電圧が上がった場合のことを考え、避雷器のアース端子から電源の中相にバイパスアースすることもできる。
【００２４】
回避素子３０は、図５（ａ）に示すように、同様の構成の３つの第１〜第３サージ電流反応部３１、３３、３５とから構成され、それぞれの端子３２、３４、３６が互いに間隙をもって対面して配置され、端子３４と端子３６とは近接して配置されている。そして、第１サージ電流反応部３１が、保護対象となる機器又は回路に接続され、第２及び第３サージ電流反応部３３、３５がそれぞれ別々に設けられたアース線３７、３８に接続されている。したがって、機器又は回路側からのサージ電流であった場合は、端子３２から端子３４及び端子３６へアーク放電がなされアースされる。ところが、アース線３７又は３８からの逆流のサージ電流であった場合は、互いに近接した端子のみにアーク放電し、端子３２へは放電することがないので、機器または回路側へサージ電流が流れることはない。また図５（ｂ）に示すように、端子３２、３４、３６をそれぞれ端子先端部に傾斜部を持つ端子３２ａ、３４ａ、３６ａの形状のものに変えることにより、低電圧のサージ電流から高電圧のサージ電流まで対応することが可能である。尚、端子３２、３４、３６の形状については、端子３２ａ、３４ａ、３６ａの形状の他にも図６に示すように、先端に長さの異なる突起をもつ端子パーツ３２ｄ−１〜３２ｄ−５を適宜組み合わせ端子３２Ｄのように、端子先端部に起伏をもたせるようにしても、低電圧のサージ電流から高電圧のサージ電流まで対応することが可能である。
【００２５】
図７はサージ電流の回避回路２１あるいは２２の一例を示す回路図である。基本的な回路としては、商用電源Ｌ１、Ｌ２がブレーカー４１を介して引き込まれ、これに保護対象である機器４２が接続され、ブレーカー４１と機器４２との間の配線４３にサージ電流を回避させる回避器５０が回路線４５により接続され、これが第１アース線５３を介して接地している。また、この間にバイパス線５４が設けられており、このバイパス線５４には半導体素子５５が配設されている。尚、回避器５０は、導通の方向性を有し、高感度な回避素子５１、５２から構成される。
【００２６】
そして、雷などのように、商用電源Ｌ１、Ｌ２の供給系統からサージ電流が到来した場合、回避素子５１、５２が直ちに反応して回路線４４、４５及び回避器５０を介して第１アース線５３からアースされるが、サージ電流が解消すると、回避器５０が遮断を行い、商用電力が再び機器４２に正常に流れる。一方、近隣への落雷による誘導雷が発生して、これが地中を介して第１アース線から侵入しようとした際は、回避器５０へは流れることがなく、バイパス線５４と半導体素子５５とを介して第２アースＬａと流れるため、機器４２の損傷が防止できる。尚、サージ電流がない状態にあっては、このバイパス線５４が半導体素子により遮断された状態となる。
【００２７】
回避回路２１は、光通信ケーブルの誘導雷対策として非常に有効なものである。すなわち、誘導雷が光通信ケーブル１０のテンションメンバー１５へ誘導した場合、これは回避回路２１を介してアース線２３へアースされる。また、それぞれのアース線を介した誘導雷の逆流については、上記したように、バイパス線５４と半導体素子５５とを介して第２アースＬａにアースされる。したがって、この配線盤１６は、変換ハブ５も含めて十分な誘導雷対策が完備されている。
【００２８】
ここで、成端箱の他の実施例について説明するが、上記実施例と同様の構成要素には同一の符号を付して説明する。図８に示す成端箱１１の基本構成は、各構成部品を収納するケースと、サージ電流誘導回路６０、電源回路としてのコンセント１９、光通信ケーブル１０と電力回線１７とを引き込む配管と、個々の幹線ケーブル６を配線する成端部７０とから構成される。
サージ電流誘導回路６０としては、例えば、特公平７−１１８３６１号公報所載の「モリブデン避雷器」や、上記のような「サージ電流回避素子」を適用することができる。すなわち、高電圧のサージ電流が保護すべき回路に流れようとした場合、機器側より遥かに速い速度で回路を大きく開く誘導素子を介して機器側とアース側とを接続したものである。すなわち、図９に示すように、アース線２３に接続するアース側端子６２と、コンセント１９からの回路を接続する誘導側端子６３とを有し、誘導素子６１を介してこれらを接続している。通常電圧の電流が流れている間、誘導素子６１は絶縁を保ち、一旦高電圧がかかると絶縁が破壊され一挙に低抵抗となるようにされている。
【００２９】
さらに、上記した「サージ電流回避素子」で示された導通方向が一方向であるものを適用するのが望ましい。導通方向としては、誘導側端子６３からアース側端子６２へのみの導通とすることにより、アース側でサージ電流が発生してもコンセント１９を介して機器に流れることは回避される。したがって、サージ電流が光通信ケーブル１０に誘導された場合は、屋外から出されたメセンジャーワイヤーや直接アース線２３に流れ、電力回線１７に誘導した場合はサージ電流誘導回路６０へ流れる。また、万一、アース線２３にサージ電流が誘導された場合においては、この光通信ケーブル１０で接続された隣接する局舎等において、上記したものと同様の配線を布設しておくことにより、光通信ケーブル１０を介してその隣接する局舎のアース線に流れる。すなわち、どのような方向からサージ電流が誘導されたとしても、成端箱及びこれに接続された機器のすべてを保護することができる。
【００３０】
図１０に示すように、光通信ケーブル１０のテンションメンバー１５、メセンジャーワイヤー１５ａ又はシールドアース１５ｂは、その先端が挿入可能にされた挿通管２５と、これに一体形成された座金部２６とからなる圧着端子２７に装着される。装着にあたっては、メセンジャーワイヤー１５ａ又はシールドアース１５ｂの先端部分を挿通管２５内に挿入して、その周囲をかしめてこれらを圧着し、さらに、その周囲を絶縁体であるゴム管２８で覆う。これによりテンションメンバー１５と圧着端子２６は接合され、座金部２５をサージ電流誘導回路６０のアース側端子６２にネジ止めして固定される。したがって、先端が露出しない上、絶縁体で被覆されているためメセンジャーワイヤー１５ａ又はシールドアース１５ｂに誘導された誘導雷は、発火等を生ずることなくアース側に流れる。
アース手段の確保としては、図８及び図９に示すように個別のアース線を設けても良いが、単相交流の一相をアースとして使用することも可能である。すなわち、外部でアースされている一相をサージ電流誘導回路のアース側端子に接続し、他の二相はコンセントに接続する。これにより更なるアース線の工事が不用になる。
【００３１】
次に、成端部７について説明する。図８に示すように、成端部７０は幹線ケーブル６の束を誘導する誘導環７１と、個々の幹線ケーブル６の一部または融着点を保持するストッパー７２と、その周囲に多数立設された棒状の誘導ガイド７３とからなり、幹線ケーブル６は、コネクタ付光ケーブル１０ａと融着され、コネクタ７４に接続される。光通信ケーブル１０から出された幹線ケーブル６の束は、鋭角に折れ曲がらないように誘導環７１に導かれて、それぞれ個々の幹線ケーブル６へと分岐される。個々の幹線ケーブル６は、コネクタ付光ケーブル１０ａとの融着をするにあたって、余裕を持った長さ（以下、余長という）を取るために、その余長部分の幹線ケーブル６を処理する必要がある。コネクタ付光ケーブル１０ａと融着された幹線ケーブル６の余長部分は、鋭角を形成しないように誘導ガイド７３に巻き付けて長さを調整し、融着点（図示せず）がストッパー７２に収まるようにする。ストッパー７２から出たコネクタ付光ケーブル１０ａは、さらに誘導ガイド７３によって導かれ可能な限り直線に近い状態でコネクタ７４に接続される。
【００３２】
以上のように本実施例では、成端箱１１及びハブボックス１２が、ワークデスク２の側方に配設されている。したがって、光通信ケーブル１０の配線時や保守点検時に、作業者は収納ボックス９の開閉扉１３、１４を開けてそのまま簡単に作業を行うことができ、従来の高所作業に比べて作業性が著しく向上する。また、成端箱１１とハブボックス１２は、収納ボックス９内に整然と区画収納されているので、収納構造の軽量小型化及びコンパクト化を図られる。
【００３３】
さらに、成端箱１１に商用電源のケーブル１７を取り込んだことにより、分電盤が実質的に不要になり、その分だけサーバールーム１内の省スペース化が促進している。尚、成端箱１１とハブボックス１２は、空調機から離れたワークデスク２の側方に配置されている。したがって、ワークデスク２の側方は壁面上部に比べて、空調機による対流の影響が小さく塵埃が少ないので、従来のように成端箱１１、ハブボックス１２に塵埃が侵入し付着するおそれがない。
【００３４】
尚、本発明は上記実施例に限定されず、種々の応用変形が可能である。例えば、上記実施例では、収納ボックス９を左右二室に区画して、各室に成端箱１１、ハブボックス１２を収納したが、例えば、図１０に示すように収納ケース９を上下二室に区画したものや、あるは前後二室に区画して、各室に成端箱１１、ハブボックス１２を収納することも可能である。
【００３５】
図１１に示す収納ボックス９は、分電盤型の収納ボックスであり、主幹ブレーカー４０、分岐回路、避雷器、成端箱１１、ハブボックス１２がひとつに収容されたものである。この収納ボックス９にはサージカウンター３９が設けられ、雷サージ電流をカウントすることができるようにされている。
【００３６】
図１２及び図１３は本発明成端箱の施工例を模式的に示す図であり、ビルの各階にそれぞれ配置されクライアントパソコン４、サーバー７及びプリンター等の精密機器４２に光通信ケーブル１０（ＵＴＰケーブル等でも良い）でもって配線した収納ボックス９同士を繋ぎ合せた例と、複数のビル間で各ビルに設置された収納ボックス９を繋ぎ合せた例を示したものである。このように複数個の収納ボックス９を繋ぎあわせループすることによって、等価回路が形成され、どこから誘導雷が到来しても大地にアースすることができる。
【００３７】
【発明の効果】
以上の如く本発明によれば、以下のような優れた効果がある。
（１）成端箱とハブボックスを二区画に画成された収納ボックスの一方の区画に成端箱を収納し、他方の区画に分電盤やハブ等の精密機材を収納したので、光通信ケーブルの配線作業やメンテナンス作業を容易に行うことができ、作業効率を著しく高めることができる。
（２）成端箱とハブボックスを一体的に収納するようにしたので、収納構造の小型化、コンパクト化が図られ、収納スペースを大幅に縮小させることができる。
（３）成端箱内でテンションメンバー又はメセンジャーワイヤーが堅固に固定され、アース線に接続すると共に、その先端が露出しないので、誘導雷による発火の危険がなく、光通信ケーブルの端部を確実に保持することができる。
（４）テンションメンバー又はメッセンジャーワイヤー及び電力回線から誘導雷が到来しても、サージ電流対策が十分になされているので、成端箱及び接続した機器を損傷することがない。
（５）個々の幹線ケーブルが、適切な余長をもって保持されるため、適切に配線して断裂等の事故を防止できる。
（６）複数の成端箱をループすることによって、等価回路が形成され、どこから誘導雷が到来しても大地にアースすることができる。
【図面の簡単な説明】
【図１】本発明に係る成端箱及びハブボックスの収納装置を説明する全体構成図である。
【図２】図１の収納ケースを説明する要部構成図である。
【図３】本発明に係るサーバールームを示す平面図である。
【図４】本発明に係る成端箱及びハブボックス内の配線図である。
【図５】回避素子の基本形態を示す模式図である。
【図６】回避素子の他の実施例を示す（ａ）は斜視図、（ｂ）は側面図である。
【図７】回避回路の回路図である。
【図８】成端箱の他の実施例を示す模式図である。
【図９】サージ電流誘導回路とこれに対する配線例を示す回路図である。
【図１０】テンションメンバーの先端部を示す拡大側面断面図である。
【図１１】収納ボックスの他の実施例を示す斜視図である。
【図１２】本発明の成端箱をビル内に複数個設置した状態を説明する模式図である。
【図１３】本発明の成端箱を複数のビルに設置した状態を説明する模式図である。
【符号の説明】
１    サーバールーム
２    ワークデスク（机）
３    ゴムマット
４    クライアントパソコン
５    ハブ
６    光ファイバー（幹線ケーブル）
７    サーバーパソコン
８    ストッパー
９    収納ボックス
１０  光通信ケーブル
１１  成端箱
１２  ハブボックス
１３  開閉扉
１４  開閉扉
１５  テンションメンバー
１５ａメッセンジャーワイヤー
１５ｂシールドアース
１６  配線盤
１７  電源ケーブル
１８  ワークステーション
１９  コンセント
２０  導線
２１  避雷器
２２  避雷器
２３  アース線
２４  アース線
２５  挿通管
２６  座金部
２７  圧着端子
２８  ゴム管
２９  プリンター
３０  回路素子
３１  サージ電流反応部
３２  サージ電流反応部の端子
３２ａサージ電流反応部の端子
３２Ｄサージ電流反応部の端子
３３  サージ電流反応部
３４  サージ電流反応部の端子
３４ａサージ電流反応部の端子
３５  サージ電流反応部
３６  サージ電流反応部の端子
３６ａサージ電流反応部の端子
３７  アース線
３８  アース線
３９  サージカウンター
４０  主幹ブレーカー
４１  ブレーカー
４２  機器
４３  ブレーカーと機器との配線
４４  回路線
４５  回路線
５０  回避器
５１  回避素子
５２  回避素子
５３  第１アース線
５４  バイパス線
５５  半導体素子
６０  サージ電流誘導回路
６１  誘導素子
６２  アース側端子
６３  誘導側端子
７０  成端部
７１  誘導環
７２  ストッパー
７３  誘導ガイド
７４  コネクタ
８０  ビル（建物）
８１  ビル（建物）
８２  ビル（建物）
８３  ビル（建物）
【図１】
0004048314.tif 000002
【図２】
0004048314.tif 000003
【図３】
0004048314.tif 000004
【図４】
0004048314.tif 000005
【図５】
0004048314.tif 000006
【図６】
0004048314.tif 000007
【図７】
0004048314.tif 000008
【図８】
0004048314.tif 000009
【図９】
0004048314.tif 000010
【図１０】
0004048314.tif 000011
【図１１】
0004048314.tif 000012
【図１２】
0004048314.tif 000013
【図１３】
0004048314.tif 000014